(57)【要約】      （修正有）【課題】差圧の増大を利用して消焔エレメントの目詰まりを極めて安全な形式で検知表示することができるフレームアレスタを提供する。【解決手段】可燃性ガス流路に設置されるフレームアレスタ１において、該フレームアレスタ１における消焔部５よりも上流側の流路から導出された上流側バイパス管９と、消焔部５よりも下流側の流路から導出された下流側バイパス管１０と、上流側バイパス管９と下流側バイパス管１０の間に配置された目図まり検知用のインジケータ１１とを備え、インジケータ１１は、上流側バイパス管９のガス圧と前記下流側バイパス管１０のガス圧との差圧が設定値以上になると機械的に検知する検知部と、検知部の作動に基づいて磁気的手段を介して表示する表示部とで構成されていて、消焔部５の目詰まりを検知表示するようにした。【選択図】図１
2007017091.tif 000002
【特許請求の範囲】
【請求項１】
可燃性ガス流路に設置されるフレームアレスタにおいて、該フレームアレスタにおける消焔部よりも上流側の流路から導出された上流側バイパス管と、前記消焔部よりも下流側の流路から導出された下流側バイパス管と、前記上流側バイパス管と下流側バイパス管の間に配置された目詰まり検知用のインジケータとを備え、該インジケータは、前記上流側バイパス管のガス圧と前記下流側バイパス管のガス圧との差圧が設定値以上になると機械的に検知する検知部と、該検知部の作動に基づいて磁気的手段を介して表示する表示部とで構成されていて、前記消焔部の目詰まりを検知表示するようにしたことを特徴とするフレームアレスタ。
【請求項２】
検知部は、上流側バイパス管のガス圧と下流側バイパス管のガス圧との差圧が設定値以上になると移動する移動検知体に第１のマグネットを配置して構成され、表示部は、回転自在に軸支された回転表示体に前記第１のマグネットの吸磁作用を受ける第２のマグネットを配置して構成され、前記移動検知体の移動に伴って回転表示体が回転することにより表示標識が現出するようになっていることを特徴とする請求項１に記載のフレームアレスタ。
【請求項３】
移動検知体は、上流側バイパス管と下流側バイパス管とを連結する非磁性材料からなる連結管に該連結管内の流路を隔絶するようにダイヤフラムを設けて該ダイヤフラムに第１のマグネットを取り付けて構成され、回転表示体は、前記連結管の外周部に設けた取付部に第２のマグネットを取り付けた回転体を軸支すると共に該回転体の外周面に分周的に色彩標識を表示したことを特徴とする請求項２に記載のフレームアレスタ。
【発明の詳細な説明】
【技術分野】
【０００１】
本発明は、火災発生時の火焔の逆流を阻止するために可燃性ガスの流路等に設置されるフレームアレスタに関するものである。
【背景技術】
【０００２】
火災発生時の火焔の逆流を阻止するためのフレームアレスタは、基本的な構成として内部に消焔部を備えており、設置すべき分野、用途等によりその消焔部の構造や消焔エレメントの形態も種々のものがある。
【０００３】
一般に、消焔エレメントは、所定メッシュの金属製網体等を多数枚重合した網目形式のものや、多数枚の金属プレートを所定の隙間を有するように重合して多数のスリットを形成したスリット形式のもの等があり、火焔がこの消焔エレメントに接触することにより細分化されたり急激に熱を奪われることにより消炎するものである。
【０００４】
前記のような構成のフレームアレスタは可燃性ガスの流路等に設置されて長期使用される間に可燃性ガス中の成分が消焔エレメントに付着して詰まりが生じて各種の障害が発生するから、消焔エレメントの洗浄、交換等をする必要がある。
【０００５】
前記のような場合、消焔エレメントの目詰まりを低減したり消焔エレメントの取り外し、交換等を容易になし得るようにしたものは各種提案されていて、我々も先にこれに類するものを提案した。
【特許文献１】特開２００３−２０７１０８号公報
【発明の開示】
【発明が解決しようとする課題】
【０００６】
前記のように、従来のフレームアレスタは、消焔エレメントの洗浄、交換等に際しての分解性の容易化を図ったりしているが、従来は消焔エレメントの目詰まりの有無、その目詰まりの程度等を外部から検知する手段がないため、全体を分解して点検する以外に方法はなく、頗る不便であった。
【０００７】
可燃性ガスの流路に設置されるフレームアレスタにおいては、消焔部の上流側と下流側ではガス圧に必然的に圧力差が生じているが、消焔エレメントに目詰まりが生じると上流側と下流側の圧力差が増大するから、本発明は、この差圧の増大を利用して消焔エレメントの目詰まりを検知表示することができるフレームアレスタを提供しようとするものである。
【０００８】
また、この場合、可燃性ガスの流路に設置されるフレームアレスタにあっては電気的検知手段や電気的表示手段を採用することはできないから、目図まり検知用のインジケータはこのような電気的手段を用いない極めて安全な形式のものであることが必要であるところ、本発明はこのような要請に応えうるフレームアレスタを提供することを目的とする。
【課題を解決するための手段】
【０００９】
本発明は、前記の課題を解決するために、請求項１に係る発明においては、可燃性ガス流路に設置されるフレームアレスタにおいて、該フレームアレスタにおける消焔部よりも上流側の流路から導出された上流側バイパス管と、前記消焔部よりも下流側の流路から導出された下流側バイパス管と、前記上流側バイパス管と下流側バイパス管の間に配置された目図まり検知用のインジケータとを備え、該インジケータは、前記上流側バイパス管のガス圧と前記下流側バイパス管のガス圧との差圧が設定値以上になると機械的に検知する検知部と、該検知部の作動に基づいて磁気的手段を介して表示する表示部とで構成されていて、前記消焔部の目詰まりを検知表示するようにしたことを特徴とする。
【００１０】
請求項２に記載のものは、検知部は、上流側バイパス管のガス圧と下流側バイパス管のガス圧との差圧が設定値以上になると移動する移動検知体に第１のマグネットを配置して構成され、表示部は、回転自在に軸支された回転表示体に前記第１のマグネットの吸磁作用を受ける第２のマグネットを配置して構成され、前記移動検知体の移動に伴って回転表示体が回転することにより表示標識が現出するようになっていることを特徴とする。
【００１１】
請求項３に記載のものは、移動検知体は、上流側バイパス管と下流側バイパス管とを連結する非磁性材料からなる連結管に該連結管内の流路を隔絶するようにダイヤフラムを設けて該ダイヤフラムに第１のマグネットを取り付けて構成され、回転表示体は、前記連結管の外周部に設けた取付部に第２のマグネットを取り付けた回転体を軸支すると共に該回転体の外周面に分周的に色彩標識を表示したことを特徴とする。
【発明の効果】
【００１２】
請求項１に記載のフレームアレスタによれば、消焔部よりも上流側の流路から導出された上流側バイパス管と消焔部よりも下流側の流路から導出された下流側バイパス管との間に目詰まり検知用のインジケータが配置されており、該インジケータは、前記上流側バイパス管のガス圧と前記下流側バイパス管のガス圧との差圧が設定値以上になると検知部で機械的に検知し、これによって磁気的手段を介して表示部で表示されるようになっているから、前記消焔部の消焔エレメントに目詰まりが生じると前記ガス圧の差圧が増大することとなって、これを確実に検知表示することができる。
【００１３】
この場合、前記検知部は機械的に検知するものであり、また、前記表示部は検知部の検知によって磁気的手段を介して表示されるものであって、電気的手段を用いないから頗る安全である。
【００１４】
請求項２に記載のものによれば、上流側バイパス管のガス圧と下流側バイパス管のガス圧との差圧が設定値以上になると移動する移動検知体には第１のマグネットが配置され、表示部の回転表示体には前記第１のマグネットの吸磁作用を受ける第２のマグネットが配置されているから、移動検知体が移動すると回転表示体が回転して表示標識が現出することにより消焔部の目詰まりを目視的に確認することができる。
【００１５】
請求項３に記載のものによれば、消焔部に目詰まりが生じると連結管内においてダイヤフラムで支持されている第１のマグネットが移動し、非磁性材料からなる連結管の外周部に配置されている回転体の第２のマグネットは、前記第１のマグネットの吸磁作用を受けて回転することとなり、該回転体の外周面に分周的に表示されている色彩標識、例えば、赤色標識が現出するから、前記消焔部の目詰まりを色彩標識で表示することができる。また、このとき、前記消焔部の目詰まりの度合いによって前記第１のマグネットの移動量が異なり、その移動量によって回転体の回転角度が決定されるから、色彩標識の現出量によって前記目詰まりの度合いを知ることができる。
【発明を実施するための最良の形態】
【００１６】
フレームアレスタの本体部及び消焔部の構成は従来のものと略同様の構成とし、本体部は両端に接続フランジを有する略ダルマ形のボデーを備えた筒体であり、その内部に配置される消焔部は所定メッシュの金属製網体又はパンチングメタルを多数枚積層した消焔エレメントを備えている。この消焔部よりも上流側の流路から上流側バイパス管を、また、消焔部よりも下流側の流路から下流側バイパス管を、それぞれボデー外部に導出する。前記上流側バイパス管と前記下流側バイパス管の間には目詰まり検知用のインジケータが設置され、このインジケータは、前記上流側バイパス管のガス圧と前記下流側バイパス管のガス圧との差圧が設定値以上になると機械的に検知する検知部と、該検知部の作動に基づいて磁気的手段を介して表示する表示部とで構成する。
【００１７】
具体的には、上流側バイパス管と下流側バイパス管とを連結する非磁性材料からなる連結管に該連結管内の流路を隔絶するようにダイヤフラムを設けて該ダイヤフラムに第１のマグネットを取り付け、前記連結管の外周部に設けた取付部には前記第１のマグネットの吸磁作用を受ける第２のマグネットを取り付けた回転体を軸支し、この回転体の外周面に分周的に、例えば、赤色の色彩標識を表示する。
【実施例１】
【００１８】
本発明のフレームアレスタの実施例を図１〜図３に基づいて説明する。図１はフレームアレスタの正面図であり、内部に配置されている消焔部は破線で描かれている。図２は側面図、図３は目詰まり検知用のインジケータを示す断面図である。
【００１９】
フレームアレスタ１の本体部２及び消焔部５等の構成は従来のものと略同様の構成であり、本体部２は両端に接続フランジ３，４を有する略ダルマ形のボデー２ａを備えた筒体であり、その内部に配置される消焔部５は、実施例では所定メッシュの金属製網体５ａを多数枚積層した消焔エレメント５を取付部６に固定して構成されている。しかし、この消焔エレメント５の形式や構成は任意のものを使用することができる。７は本体部２の背面側に設けられた消焔エレメント取り出し口、８は該取り出し口７の閉塞盤である。
【００２０】
図１に示すように、前記フレームアレスタ１はＦ１からＦ２方向に流れる可燃性ガスの流路中に設置されるものであるが、前記消焔部５よりも上流側の流路から上流側バイパス管９をボデー外に導出し、消焔部よりも下流側の流路からは下流側バイパス管１０をボデー外に導出する。前記上流側バイパス管９と前記下流側バイパス管１０の間には目詰まり検知用のインジケータ１１が設置され、このインジケータ１１は、図３に示すように、前記上流側バイパス管９のガス圧と前記下流側バイパス管１０のガス圧との差圧が設定値以上になると機械的に検知する検知部１２と、該検知部１２の作動に基づいて磁気的手段を介して表示する表示部１３とで構成する。
【００２１】
前記検知部１２は、上流側バイパス管９のガス圧と下流側バイパス管１０のガス圧との差圧が設定値以上になると移動する移動検知体１４を設けてこれに第１のマグネット１５を配置して構成し、表示部１３は、回転自在に軸支された回転表示体１６に前記第１のマグネット１５の吸磁作用を受ける第２のマグネット１７を配置して構成し、前記移動検知体１４の移動に伴って回転表示体１６が回転することにより表示標識１８が現出するようにする。
【００２２】
具体的には、前記移動検知体１４は、上流側バイパス管９と下流側バイパス管１０とを連結する非磁性材料（実施例ではステンレス鋼材）からなる連結管１９に該連結管内の流路２０を隔絶するようにダイヤフラム２１を設け、前記第１のマグネット１５を挟持してなる挟持体２２を前記ダイヤフラム２１に取り付けて構成されていて、前記流路２０内を矢示方向に移動し得るようになっている。この挟持体２２は前記流路２０内に内装されたコイルバネ２３で位置決め保持されており、その位置決めの設定は、前記消焔エレメント５に目詰まりが生じていない常態における上流側のガス圧と下流側のガス圧との差圧を基準とし、前記コイルバネ２３の付勢力はその差圧に対応させるようになっている。
【００２３】
前記回転表示体１３としては、前記連結管１９の外周部に設けた取付部（取付板）２４に前記第２のマグネット１７を取り付けた回転表示体１６を軸支し、該回転表示体１６の外周面の半周に赤色の前記表示標識１８を表示したものである。
【００２４】
前記連結管１９はステンレス鋼材により形成され、前記上流側バイパス管９の接続口１９ａと下流側バイパス管１０の接続口１９ｂとを備えている。この連結管１９は内部に前記ダイヤフラム２１の外周縁部２１ａを取り付ける取付段部２５ａを有する外側パイプ２５と、該外側パイプ２５内に挿入することにより内部に前記流路２０が形成されるようにした内側パイプ２６とからなり、内側パイプ２６の先端部には前記取付段部２５ａに配置された前記ダイヤフラム２１の外周縁部２１ａを押圧固定する押圧部２６ａが設けられており、前記外側パイプ２５及び内側パイプ２６のそれぞれの端部には締付固定用のフランジ２５ｂ、２６ｂを備えている。
【００２５】
前記の構成において、前記消焔エレメント５ａに目詰まりが生じていないときは前記移動検知体１４は図３に示す位置にあり、この状態では前記回転表示体１６の表示標識１８は現出していない。前記消焔エレメント５ａが目詰まりすると上流側のガス圧Ｐ１と下流側のガス圧Ｐ２との差圧が増大するから、前記移動検知体１４が前記コイルバネ２３の弾力に抗して図３における右方向に移動し、これに伴って前記回転表示体１６が矢示方向に回転して前記表示標識１８が現出する。この赤色の表示標識１８が見えることによって前記消焔エレメント５ａの目図まりを容易に知ることができる。
【００２６】
また、移動検知体１４及び回転表示体１６の構成を前記の実施例のようにすれば、移動検知体１４の移動と回転表示体１６の回転が連動するから、消焔エレメント５ａの目詰まり度合いを表示標識１８の現出量（表示量）として表示することができ、消焔エレメント５ａの洗浄時期等の目安とすることができる。
【産業上の利用可能性】
【００２７】
本発明に用いた消焔エレメントの目図まり検知用のインジケータは、流体流路にフィルターを配置する流路形態におけるフィルターの目図まりの検知に適用することができる。
【図面の簡単な説明】
【００２８】
【図１】フレームアレスタの正面図である。
【図２】フレームアレスタの側面図である。
【図３】目詰まり検知用のインジケータを示す断面図である。
【符号の説明】
【００２９】
１      フレームアレスタ
２      本体部
３      接続フランジ
４      接続フランジ
５      消焔部
５ａ    消焔エレメント
９      上流側バイパス管
１０    下流側バイパス管
１１    目詰まり検知用のインジケータ
１２    検知部
１３    表示部
１４    移動検知体
１５    第１のマグネット
１６    回転表示体
１７    第２のマグネット
１８    表示標識
１９    連結管
２０    流路
２１    ダイヤフラム
２４    取付部
２５    外側パイプ
２６    内側パイプ
【図１】
2007017091.tif 000003
【図２】
2007017091.tif 000004
【図３】
2007017091.tif 000005